(57)【要約】【課題】原稿画像に対して１つのテンプレートを適用して画像編集する。【解決手段】文書管理装置１０は、文書管理Ｉ／Ｆ提供部１、処理制御部２、データアクセス部３、文書管理エンジン４、文書管理ＤＢ５からなる文書管理部と、画像編集Ｉ／Ｆ提供部６、画像データ展開部７、テンプレート作成部８を含む画像編集部を有する。画像編集時、文書管理部により編集しようとする原稿画像を表示部に表示する。原稿画像上で図形オブジェクトを描画し編集領域（マスキングオブジェクト）を作成し、編集領域のプロパティ情報を入力する。処理制御部２は、編集領域の位置情報及びプロパティ情報を取得し、テンプレート作成部８に渡す。該作成部８は、全編集領域群を１つのテンプレートデータとして作成し、文書管理ＤＢ５に保存する。このデータを読み出し原稿画像データの拡張ヘッダ部に挿入し原稿画像を編集する。【選択図】  図１
2004287582.tif 000002
【特許請求の範囲】
【請求項１】
原稿画像上で指示された画像領域内の原稿画像を、指示された表示形態に編集する画像編集装置において、
画像領域の位置情報及び表示形態を示す特性情報を取得する手段と、
位置情報で規定される画像領域の原稿画像を前記特性情報により編集する情報を作成する手段と、
作成された編集情報を保存する手段と、
編集情報に基いて原稿画像を編集する手段と、
を備えたことを特徴とする画像編集装置。
【請求項２】
請求項１記載の画像編集装置において、
前記位置情報で規定される画像領域の原稿画像を前記特性情報により編集する情報を作成する手段は、異なる表示形式の原稿画像毎に編集情報を作成することを特徴とする画像編集装置。
【請求項３】
請求項１又は２記載の画像編集装置において、
前記編集情報を読み出す手段と、編集情報に基いて複数の原稿画像を順次編集する手段と、全ての原稿画像の編集が終了したか否かを判断する手段と、全ての原稿画像の編集が終了したとき、原稿画像の編集を終了する手段と、
を備えたことを特徴とする画像編集装置。
【請求項４】
請求項１乃至３のいずれかに記載の画像編集装置を備えた文書管理装置。
【請求項５】
文書管理装置のコンピュータを、
画像領域の位置情報及び表示形態を示す特性情報を取得する手段、
位置情報で規定される画像領域の原稿画像を前記特性情報により編集する情報を作成する手段、
作成された編集情報を保存させる手段、
編集情報に基いて原稿画像を編集する手段、
として機能させるためのプログラム。
【請求項６】
請求項５記載のプログラムをコンピュータ読取り可能に記録した記憶媒体。
【発明の詳細な説明】
【０００１】
【発明の属する技術分野】
本発明は、原稿画像上で画像領域を特定し、該画像領域の原稿画像を指示された表示形態に書き換える画像編集装置、該画像編集装置を備えた文書管理装置、及びプログラム並びに記憶媒体に関する。
【０００２】
【従来の技術】
従来、文書画像を読取り、読み取られた画像情報にマスク処理を行って、必要個所のみが印刷されるように編集する画像編集装置が開発されている。
【０００３】
この画像編集装置は、スキャナ等の画像入力部、入力画像を記憶するイメージメモリ、イメージメモリの画像データをページ単位で記憶するページメモリ、入力画像をページ単位で表示可能な表示部、画像編集用マスクの様式を記憶するＨＤＤ装置、ＲＡＭ、ＣＰＵ、マウス等による操作部を備えている。
【０００４】
前記画像編集装置で画像編集を行うときの動作は、概ね、次のようなものである。ユーザーは、１）スキャナで読み取られた原稿画像の１ページ分を、コマンド情報等の付属情報と共に画像編集装置の表示部に表示させ、２）ＨＤＤ装置から原稿画像に対してマスク処理を行うフォーム（様式）を読み出して原稿画像に重ねる。３）ＣＰＵは、この様式の位置データをＲＡＭに展開する。４）ユーザーは、表示画面上でフォーム中の印刷出力したい部分、及びその部分中で印刷出力を行わない部分を指定する。５）ＣＰＵは、印刷しない部分の位置データをＲＡＭから読み出し、印刷しない部分の位置決めを行う。そして原稿画像上に印刷しない部分が反転された原稿画像を表示させる。６）ユーザーは、この原稿画像を見て印刷しないように指示した部分の位置が、原稿画像上でずれていないか確認する。ずれている場合、マウス等で位置ずれを直す。７）ＣＰＵは、位置ずれが修正された原稿画像とその印刷をしない部分が重畳された画面を表示させる。８）ユーザーは、この画面を確認して印刷を指示する（特許文献１参照）。
【０００５】
【特許文献１】特許第２６６１０３１号明細書（３頁５欄３１行〜５０行、及び同頁６欄１行〜５０行、４頁７欄１行〜２５行、図４）
【０００６】
上述の画像編集装置によれば、１件１件の原稿（文書）画像に対してユーザーが印刷出力を希望しない個所を手動で調整してマスクするので、その個所が確実に印刷されない印刷物を入手することができる。
【０００７】
【発明が解決しようとする課題】
しかしながら、ユーザーは、原稿画像の画像編集を行うとき、原稿画像毎に印刷を行わない部分の指定及びその部分の位置ずれの確認、調整をする方式を採っているので、編集部分の指定及びその位置調整等の前処理を原稿画像毎に行うと多大な手間、時間がかかっていた。そのとき、印刷を行わない部分が１件の原稿中で多数個所になると、前処理の手間、時間は一層余計にかかっていた。また原稿画像の構成形式が異なるとき、新たにその形式の原稿画像に合わせた前処理を行わなければならず、構成形式の種類が多数になると、ユーザーは各形式に合わせた前処理に慣れるのに時間がかかり、画像編集作業は容易でなかった。
【０００８】
そこで本発明は、このような実状に鑑みてなされたものであり、その第１の目的は、原稿画像毎に画像編集のための前処理を行わないようにすることであり、第２の目的は、原稿の構成形式が異なる原稿画像の場合であってもユーザーが容易に画像編集処理を行えるようにすることである。また第３の目的は、原稿画像の画像編集を自動的に行うようにすることである。
【０００９】
【課題を解決するための手段】
請求項１の発明は、原稿画像上で指示された画像領域内の原稿画像を、指示された表示形態に編集する画像編集装置において、画像領域の位置情報及び表示形態を示す特性情報を取得する手段と、位置情報で規定される画像領域の原稿画像を前記特性情報により編集する情報を作成する手段と、作成された編集情報を保存する手段と、編集情報に基いて原稿画像を編集する手段と、を備えたことを特徴とする画像編集装置である。
【００１０】
請求項２の発明は、請求項１記載の画像編集装置において、前記位置情報で規定される画像領域の原稿画像を前記特性情報により編集する情報を作成する手段は、異なる表示形式の原稿画像毎に編集情報を作成することを特徴とする画像編集装置である。
【００１１】
請求項３の発明は、請求項１又は２記載の画像編集装置において、前記編集情報を読み出す手段と、編集情報に基いて複数の原稿画像を順次編集する手段と、全ての原稿画像の編集が終了したか否かを判断する手段と、全ての原稿画像の編集が終了したとき、原稿画像の編集を終了する手段と、を備えたことを特徴とする画像編集装置である。
【００１２】
請求項４の発明は、請求項１乃至３のいずれかに記載の画像編集装置を備えた文書管理装置である。
【００１３】
請求項５の発明は、文書管理装置のコンピュータを、画像領域の位置情報及び表示形態を示す特性情報を取得する手段、位置情報で規定される画像領域の原稿画像を前記特性情報により編集する情報を作成する手段、作成された編集情報を保存させる手段、編集情報に基いて原稿画像を編集する手段、として機能させるためのプログラム。
【００１４】
請求項６の発明は、請求項５記載のプログラムをコンピュータ読取り可能に記録した記憶媒体である。
【００１５】
【発明の実施の形態】
以下、本発明の実施形態を図面を参照して説明する。
はじめに、本発明の実施形態に係る文書管理装置の構成について説明する。
図１は、本発明の実施形態に係る文書管理装置のブロック構成図である。図１において、文書管理装置１０は、不図示の液晶型の表示部及びキーボード又はマウスによる操作部を有し、文書管理部及び画像編集部から構成される。図１の点線囲み部分は、画像編集部を示す。
【００１６】
文書管理ユーザーインターフェース提供部１は、ユーザーがキー操作又はマウス操作により原稿画像の登録、検索要求を行ったとき、この要求を処理制御部２に伝える。
【００１７】
処理制御部２は、ＣＰＵ、ＲＯＭ、ＲＡＭを有し、文書管理ユーザーインターフェース提供部１又は後述する画像編集ユーザーインターフェース６を介してユーザーの要求を判断し、下位モジュールに要求を伝え、その要求に対して得られた結果を文書管理インターフェース提供部１又は画像編集インターフェース６介し表示部（ユーザー）に返す。
【００１８】
データアクセス部３は、処理制御部２からの原稿画像の検索要求を文書管理エンジン４に伝え、該文書管理エンジン４からの応答を処理制御部２に返す。
【００１９】
文書管理エンジン４は、データアクセス部３から検索要求された原稿画像データを文書管理データベース５にアクセスし取得する。そして取得した原稿画像データをデータアクセス部３に返す。
【００２０】
文書管理データベース５は、ＨＤＤ装置型の記憶装置であり、基本的には階層構造によるファイルシステムにより各階層のファイルに所定の原稿画像データ３０をＴＩＦＦ形式で保存する。また後述するマスキングオブジェクトテンプレートデータ２０及びテンプレート管理データ４０を保存する。
【００２１】
画像編集ユーザーインターフェース提供部６は、ユーザーがキー（又はマウス）操作により、原稿画像データの編集、表示要求を行ったとき、この要求を処理制御部２に伝え、また編集された原稿画像データを表示部に伝える。
【００２２】
画像データ展開部７は、テンプレートデータ作成部８が作成した原稿画像データを読み込んで、表示部が表示できる画像データに展開する。
【００２３】
テンプレートデータ作成部８は、後述するマスキングオブジェクトテンプレートデータ及び該マスキングオブジェクトテンプレートデータが挿入された原稿画像データを作成する。
【００２４】
次に、本発明の実施形態に係る文書管理装置が実施する文書管理及び画像編集について説明する。
ユーザーは、文書管理装置１０を起動すると、上述の文書管理ユーザーインターフェース提供部１、処理制御部２、データアクセス部３、文書管理エンジン４、文書管理データベース（ＨＤＤ装置）５が作動し、表示部には文書管理データベース５に記憶された原稿画像の格納状況を示す階層構造のファイルシステムが表示される。ユーザーは、このファイルシステムに基いて所定のファイルから取得したい文書をマウスのクリック動作等により選択する。
【００２５】
選択された文書は、該文書の検索要求として、文書管理ユーザーインターフェース提供部１から処理制御部２、データアクセス部３、文書管理エンジン４に伝えられ、文書管理データベース５から該文書の画像データが読み出される。読み出された原稿画像データは、前記と反対の経路を経て表示部に転送され原稿画像が表示される。
【００２６】
ユーザーは、原稿画像の編集を行うとき、表示された原稿画像上で編集を行う。このためにユーザーは、マウスにより表示部に表示されている画像編集ボタン（不図示）をクリックし、画像編集ユーザーインターフェース提供部６、画像データ展開部７、テンプレートデータ作成部８、それに処理制御部２、文書管理データベース５を含む画像編集部を起動する。画像編集部の起動により表示部のツールバー（不図示）には、原稿画像を加工する描画オブジェクトが表示される。
【００２７】
描画オブジェクトは、ツールバー上では、矩形、円形、楕円等のマークで表示されており、ユーザーは任意のマークを原稿画像上にドラッグし、矩形の対角線距離や円形の直径を変化させることができる描画ソフトウエアとして構成されている。
【００２８】
ユーザーは、描画オブジェクトを原稿画像上にドラッグし、描画により原稿画像を編集する領域を指定する、即ちマスキングオブジェクトを作成する。例えば、原稿画像の特定部分を消去したり或いは強調して表示する領域（編集領域）を指定する。またこの編集領域をどのように編集するか、例えば、全く視認できないように消去する或いは網掛け状で見えるように消去する、或いは着色表示で強調する等の表示形態を指示する。表示形態の指示は、例えば文字の着色を換えるときは、ツールバー上に表示されているフォント色を選択することにより行う。
【００２９】
処理制御部２は、これらの指示の有無を判断し、指示がなされたと判断したとき、指示された領域の座標位置情報、サイズ情報、及び前記表示形態を表すプロパティ情報をテンプレートデータ作成部８に渡す。
【００３０】
テンプレートデータ作成部８は、これらの情報を取得すると、マスキングオブジェクトテンプレートデータ作成用フォーマットの所定の領域に前記情報を書き込んでマスキングオブジェクトテンプレートデータを作成する。またこのデータを原稿画像データの所定の領域に書き込んで原稿画像データを作成する。
【００３１】
図２は、編集原稿画像データのデータ構造を示す図であり、図２（Ａ）は、マスキングオブジェクトテンプレートデータのデータ構造を示し、図２（Ｂ）は、原稿画像データのデータ構造を示す。
【００３２】
図２（Ａ）に記載するように、マスキングオブジェクトテンプレートデータ２０は、マスキングオブジェクト数２１、マスキングオブジェクト毎の、座標情報２２、サイズ情報２３、プロパティ情報２４からなる。作成されたマスキングオブジェクトテンプレートデータは、文書管理データベース５に格納される。
【００３３】
また図２（Ｂ）に記載するように、原稿画像データ３０は、ヘッダ情報３１、拡張ヘッダ情報３２、原稿（オリジナル）画像データ３３からなる。拡張ヘッダ情報領域は、当初、何も記載されない空の状態にあるがマスキングオブジェクトテンプレートデータ２０が作成されたとき、この領域に該データ２０が書き込まれる。マスキングオブジェクトテンプレートデータ２０が書込まれた原稿画像データ（以下、編集原稿画像データ３０’）は文書管理データベース５の格納される。
【００３４】
編集原稿画像データ３０’は、画像データ展開部７で表示可能なデータに展開され、画像編集ユーザーインターフェース提供部６を経て表示部に表示される。
【００３５】
図３は、編集原稿画像データの作成と表示の手順を示すフロー図であり、図３を参照してその手順を説明する。なお、図中、点線で記載したブロックはユーザーが手動で行う動作のブロックであり、実線で記載し、処理ステップ番号Ｓを付したブロックは画像編集部が行う動作のブロックである。
【００３６】
図３において、ユーザーは、原稿画像を表示部に表示し、画像編集開始を指示すると、画像編集部が起動し、ツールバー上に描画オブジェクトを表示し画像編集動作開始待ち状態に入る。そこで、ユーザーは、原稿画像上の編集領域にツールバー上の描画オブジェクトをドラッグして、位置、サイズを調整し、マスキングオブジェクトを描画作成する。描画オブジェクトは、複数配置され、複数のマスキングオブジェクトが作成されることがある。この作成が終了した後、ユーザーは、更にマスキングオブジェクトテンプレートデータの作成を表示画面上の所定のマーク（不図示）をポイントすることにより指示する。
【００３７】
処理制御部２は、マスキングオブジェクトテンプレートデータの作成指示を判断して、作成されたマスキングオブジェクトの各種データ（位置情報、サイズ情報等）を、テンプレートデータ作成部８に渡し、テンプレートデータ作成部８は、マスキングオブジェクトテンプレートデータ構造の所定の領域に前記各種データを取込んでマスキングオブジェクトテンプレートデータ（画像編集情報）２０を作成し、文書管理データベース５に渡す（Ｓ１）。
【００３８】
次にユーザーから、当該原稿画像に対してマスキングオブジェクトテンプレートの適用が指示されると、処理制御部２は、この指示を判断し、文書管理データベース５からマスキングオブジェクトテンプレートデータ２０を取得、テンプレートデータ作成部８に渡す（Ｓ２）。テンプレートデータ作成部８は、渡されたマスキングオブジェクトテンプレートデータ２０を原稿画像データの拡張ヘッダ部３２に挿入し、編集原稿画像データ３０’を作成する（Ｓ３）。
【００３９】
続いて、画像データ展開部７は、編集原稿画像データ３０’を展開、解析して画像編集ユーザーインターフェース提供部６を介して表示部に表示する（Ｓ４）。
【００４０】
本実施形態の文書管理装置によれば、所定形式の原稿画像に対して、複数のマスキングオブジェクト（マスキングオブジェクト群）からなる１つのテンプレートデータを作成、保存しておくので、形式が同じ原稿画像に対して原稿画像毎に新たにマスキングオブジェクトテンプレートデータを作成する必要がなくなり、画像編集作業に手間、時間がかからないようになる。
【００４１】
マスキングオブジェクトテンプレートデータは、原稿の構成形式が異なる原稿画像に対してはそれぞれの形式の原稿画像に対するマスキングオブジェクトテンプレートデータが作成されることになる。
【００４２】
そこで、本発明の実施形態の文書管理装置は、異なる形式の原稿画像に対して当該形式の原稿画像用のマスキングオブジェクトテンプレートデータを作成、保存し、必要に応じて所要のマスキングオブジェクトテンプレートデータを読み出し、これを原稿画像データに挿入して原稿画像データを作成、表示する。
【００４３】
図４は、異なる形式の原稿画像に対して当該形式の原稿画像用のマスキングオブジェクトテンプレートデータを作成し、その編集画像を表示する処理のフロー図である。なお、図中、点線で記載したブロックはユーザーが手動で行う動作のブロックであり、実線で記載し処理ステップ番号Ｓを付したブロックは画像編集部が実施する動作のブロックである。
【００４４】
図４において、ユーザーは、原稿画像を表示部に表示し、画像編集の開始を指示すると、文書管理装置の画像編集部は、ツールバー上に描画オブジェクトを表示し画像編集動作開始待ち状態に入る。そこで、ユーザーは、原稿画像上の編集領域にツールバー上の描画オブジェクトをドラッグして原稿画像上に配置し、位置、サイズを調整してマスキングオブジェクトを作成する。描画オブジェクトは、複数配置され、複数のマスキングオブジェクトが作成されることがある。この作成が終了したとき、ユーザーは、更に画像編集部に対してマスキングオブジェクトテンプレートデータの作成を指示する。
【００４５】
処理制御部２は、マスキングオブジェクトテンプレートデータの作成指示を判断して、作成されたマスキングオブジェクトの各種データ（位置情報、サイズ情報等）を、テンプレートデータ作成部８に渡す。テンプレートデータ作成部８は、マスキングオブジェクトテンプレートデータ構造の所定の領域に前記各種データを取込んでマスキングオブジェクトテンプレートデータを作成する（Ｓ１１）と共に、作成したマスキングオブジェクトテンプレートデータを管理可能にするデータ名又は識別情報等のテンプレート管理データ５０を作成し（Ｓ１２）、これらを文書管理データベース５に渡す。
【００４６】
次にユーザーから所定の原稿画像に対してマスキングオブジェクトテンプレートの適用が指示されると、処理制御部２は、この指示を判断し、ユーザーに対し、文書管理データベース５からテンプレート管理データ５０に基いて前記所定の原稿画像に対するマスキングオブジェクトテンプレートデータ２０を選択するよう画面上で催促する。
【００４７】
この催促に従ってユーザーは、所定のテンプレート管理データ５０を指定する。処理制御部２は、このテンプレート管理データ５０に基いて文書管理データベース５から対応するマスキングオブジェクトテンプレートデータ２０を読み出し、テンプレートデータ作成部８に渡す（Ｓ１４）。テンプレートデータ作成部８は、渡されたマスキングオブジェクトテンプレートデータ２０を原稿画像データの拡張ヘッダ部３２に挿入し、編集原稿画像データ３０’を作成する（Ｓ１５）。
【００４８】
続いて、画像データ展開部７は、編集原稿画像データ３０’を解析して画像編集ユーザーインターフェース提供部６を介して表示部に表示する（Ｓ１６）。
【００４９】
本実施形態の文書管理装置によれば、原稿の構成形式が異なる原稿画像に対して、形式毎にマスキングオブジェクトテンプレートデータ２０を作成、保存、管理し、必要に応じてそのテンプレート管理データ４０に基いて当該形式原稿画像用のマスキングオブジェクトテンプレートデータ２０を読み出し、これを原稿画像データに挿入して編集原稿画像データ３０’を作成、表示するので、ユーザーは容易に画像編集作業をすることができる。
【００５０】
前記実施形態の文書管理装置は、ユーザーにより手動で、作成されたマスキングオブジェクトテンプレートデータを当該原稿画像データ毎に挿入して原稿画像データを作成している。
【００５１】
そこで、本実施形態の文書管理装置は、管理されているマスキングオブジェクトテンプレートデータの１つのテンプレートデータを所定の複数の原稿画像データに自動的に挿入して原稿画像データを作成する。
【００５２】
図５は、その処理を行うフローを示す図であり、同図を参照してその手順を説明する。図５において、ユーザーは、文書管理データベース５から編集対象となる複数の原稿画像を選択する。選択された原稿画像は、原稿画像自体が表示部に表示されることがあり、又はその識別番号が表示されることもある。
【００５３】
ユーザーは更に、選択された原稿画像に対して所定のマスキングオブジェクトテンプレートデータの適用を表示画面からマウスの操作により指示する。
【００５４】
この指示に従って、処理制御部２は、文書管理データベース５からマスキングオブジェクトテンプレートデータ２０を読出し、ユーザーに対して必要なマスキングオブジェクトテンプレートデータを選択するよう促す（Ｓ２１）。
【００５５】
ユーザーは、この催促に従って所定の所定のマスキングオブジェクトテンプレートデータを選択する。
【００５６】
処理制御部２は、選択されたマスキングオブジェクトテンプレートデータを文書管理データベース５から読出し、テンプレートデータ作成部８に渡す（Ｓ２２）。テンプレートデータ作成部８は、渡されたマスキングオブジェクトテンプレートデータを、編集対象となる複数の原稿画像データの第１番目の原稿画像データの拡張ヘッダ部３２に挿入し、編集原稿画像データ３０’を作成する（Ｓ２３）。
【００５７】
処理制御部２は、全ての原稿画像データへのマスキングオブジェクトテンプレートデータの挿入が終了するまで、マスキングオブジェクトテンプレートデータの挿入を行う（Ｓ２４，Ｓ２５）。
【００５８】
本実施形態の文書管理装置によれば、管理されているマスキングオブジェクトテンプレートデータの１つのテンプレートデータを所定の複数の原稿画像データに自動的に挿入して編集原稿画像データを作成することができる。従って、ユーザーは、マスキングオブジェクトテンプレートデータを原稿画像データに挿入する手間を省くことができる。
【００５９】
以上、本発明の実施形態に係る文書管理装置における画像編集動作について説明したが、この動作を汎用の文書管理装置のコンピュータに実行させるためにプログラム化し、このプログラムをＣＤ−ＲＯＭ、ＤＶＤ−ＲＯＭ、ＭＯ等の任意の記録媒体に記録し、これを文書管理装置のコンピュータに読み取らせる。これにより容易に文書管理装置において画像編集を容易に行うことができるようになる。
【００６０】
【発明の効果】
請求項１，４に対応する効果：画像領域を原稿画像上で規定する画像編集情報を予め作成、保存し、画像編集するとき、この画像編集情報を使用するので、画像編集するための前処理を行う必要がなくなり画像編集作業が効率化する。
請求項２に対応する効果：前記画像編集情報を異なる形式の原稿画像に対応して予め作成、保存するので、異なる形式の原稿画像毎に画像編集するための前処理を行う必要がなくなり画像編集を容易に行うことができる。
請求項３に対応する効果：複数の原稿画像の画像編集作業を自動的に行うことができる。
請求項５，６に対応する効果：文書管理装置を容易に画像編集装置として使用することができる。
【図面の簡単な説明】
【図１】本発明の実施形態に係る文書管理装置のブロック構成図である。
【図２】編集原稿画像データのデータ構造を示す図である。
【図３】編集原稿画像データの作成と表示の手順を示すフロー図である。
【図４】異なる形式の原稿画像に対するマスキングオブジェクトテンプレートデータの作成と編集画像表示の手順を示すフロー図である。
【図５】１つのテンプレートデータにより複数の原稿画像データを自動的に作成する手順を示すフロー図である。
【符号の説明】
１…文書管理ユーザーインターフェース提供部、２…処理制御部、３…データアクセス部、４…文書管理エンジン、５…文書管理データベース、６…画像編集ユーザーインターフェース提供部、７…画像データ展開部、８…テンプレートデータ作成部、２０・・・マスキングオブジェクトテンプレートデータ、３０・・・原稿画像データ、３０’・・・編集原稿画像データ、４０・・・テンプレート管理データ
【図１】
2004287582.tif 000003
【図２】
2004287582.tif 000004
【図３】
2004287582.tif 000005
【図４】
2004287582.tif 000006
【図５】
2004287582.tif 000007